(57)【要約】      （修正有）【課題】長方形の発光モジュールを、直管型ＬＥＤ照明装置として、天井又は他の多様な取付部に適応させて設置できるＬＥＤ照明支持装置を提供する。【解決手段】天井若しくは壁面９００に略長方形のＬＥＤ発光モジュール１００を照明装置として設置するためのＬＥＤ照明支持装置であって、支持装置は、断面が略矩形で中空の発光モジュール１００を取付する面に発光モジュール１００を保持するモジュール保持部を少なくとも有するアルミ押出材のモジュールホルダ１と、モジュールホルダ１の両側面１ｂ、１ｄを両側から挟み込んで固定する把持部６７を有すると共に、天井若しくは壁面９００に直接又は他の固定用金具を介して間接的にそれ自体を固定するための少なくとも一つの第１ネジ穴を有する第１固定用金具６１と、第１固定用金具６１を前記天井若しくは壁面９００に固定するためのネジ５１を有する。【選択図】図５
0003183224.tif 000002
【実用新案登録請求の範囲】
【請求項１】
天井若しくは壁面、又は被取付構造体に、板状で所定の縦横寸法を有する略長方形のＬＥＤ発光モジュールを照明装置として設置するためのＬＥＤ照明支持装置であって、
前記支持装置は、
断面が略矩形で中空であり、前記発光モジュールを取付する面に前記発光モジュールを保持するモジュール保持部を少なくとも有するアルミ押出材のモジュールホルダと、
前記モジュールホルダの両側面を両側から挟み込んで固定する把持部を有すると共に、前記天井若しくは壁面、又は被取付構造体に直接又は他の固定用金具を介して間接的にそれ自体を固定するための少なくとも一つの第１ネジ穴を有する第１固定用金具と、
前記第１固定用金具を前記天井若しくは壁面、又は被取付構造体又は他の固定用金具に固定するための第１ネジと
を少なくとも有することを特徴とするＬＥＤ照明支持装置。
【請求項２】
前記第１固定用金具の把持部は、バネ弾性を有する金属板であり、前記金属板が前記モジュールホルダの両側面を両側から各々挟み込むように直角に下側に折り曲げられた平面形状部を有し且つ前記各平面形状部から内側に突出する突出部が形成され、
前記モジュールホルダの両側面には段差部が設けられ、
前記突出部が前記段差部に係合することで固定される
ことを特徴とする請求項１に記載のＬＥＤ照明支持装置。
【請求項３】
前記第１固定用金具の把持部は、金属板が前記モジュールホルダの両側面を両側から各々挟み込むように直角に下側に折り曲げられた平面形状部を有し且つ前記各平面形状部内に第２ネジ穴を有し、第２ネジによりネジ止めされて固定される
ことを特徴とする請求項１に記載のＬＥＤ照明支持装置。
【請求項４】
上面と一側面が開口した箱形状であり前記第１固定用金具と接続される第２固定用金具であって、該第２固定用金具は、
底面の前記第１固定用金具のネジ穴と対向する位置に設けられた第３ネジ穴を有し、第３ネジによりネジ止めされて固定され、
前記開口した一側面と対向する側面に第４ネジ穴を有し、
前記開口した上面における前記開口した一側面と直交する各辺には少なくとも前記金属板の突出部を内側に折れ込ませた２個の内折れ爪を有し、
前記被取付構造体に接続される第３固定用金具であって、該第３固定用金具は、
前記第２固定用金具の各辺２個の内折れ爪と各々係合する係合部と、
前記開口した一側面と対向する側面と平行に前記係合部と接続され且つ前記第４のネジ穴と対向する位置に第５のネジ穴を有する固定用板を有し、
前記第２固定用金具の第４ネジ穴と、前記第３固定用金具の第５のネジ穴をネジ止めして固定する第４ネジと
を少なくとも有する
ことを特徴とする請求項３に記載のＬＥＤ照明支持装置。
【請求項５】
前記被取付構造体が、天井又は壁面を支持し、一面の長手方向に開口するスリットを有する金属フレーム又は配管ダクトの少なくとも一部であり、
前記第３固定用金具が、前記スリットの少なくとも一部を覆う蓋体と一体に接合されて形成される
ことを特徴とする請求項４に記載のＬＥＤ照明支持装置。
【請求項６】
前記被取付構造体が、直管型蛍光灯を用いた既設の照明装置を接続される面に固定する箱形状支持部の少なくとも一部であり、
前記第３固定用金具が、前記箱形状支持部の開口の少なくとも一部を覆う蓋体と一体に接合されて形成される
ことを特徴とする請求項４に記載のＬＥＤ照明支持装置。
【請求項７】
前記第３固定用金具の前記第２固定用金具と接続される面が、前記被取付構造体の蓋体の長手方向の面に対して平行な面となるように形成される
ことを特徴とする請求項５又は６に記載のＬＥＤ照明支持装置。
【請求項８】
前記第３固定用金具の前記第２固定用金具と接続される面が、前記被取付構造体の蓋体の長手方向の面に対して垂直な面となるように形成される
ことを特徴とする請求項５又は６に記載のＬＥＤ照明支持装置。
【請求項９】
前記第３固定用金具の前記第２固定用金具と接続される面が、前記被取付構造体の蓋体の長手方向の面に対して４５度の面となるように形成される
ことを特徴とする請求項５又は６に記載のＬＥＤ照明支持装置。
【請求項１０】
前記第２固定用金具の底面の前記第３ネジ穴は、前記モジュールホルダ及び前記第１固定用金具を１列又は複数列の何れにも固定可能な位置に設けられる
ことを特徴とする請求項４〜９の何れか１項に記載のＬＥＤ照明支持装置。
【請求項１１】
前記モジュール保持部は、前記発光モジュールの長辺の両端部を左右から保持するレール状の第１溝部である
ことを特徴とする請求項１〜１０の何れか１項に記載のＬＥＤ照明支持装置。
【請求項１２】
前記モジュールホルダは、発光モジュールの取付面に、発光モジュールの発光面を覆う透光カバーの両側端を、前記第１溝部のさらに外側で保持するレール状の第２溝部を有する
ことを特徴とする請求項１〜１１の何れか１項に記載のＬＥＤ照明支持装置。
【請求項１３】
前記モジュールホルダの内部の両側面には、電気回路基板を保持するためのレール状の第３溝部を有する
ことを特徴とする請求項１〜１２の何れか１項に記載のＬＥＤ照明支持装置。
【請求項１４】
前記モジュールホルダの長手方向両端には、前記前記発光モジュールの飛出し防止／防埃用のキャップが設けられ、該キャップには配線用の穴が設けられる
ことを特徴とする請求項１〜１３の何れか１項に記載のＬＥＤ照明支持装置。
【考案の詳細な説明】
【技術分野】
【０００１】
本考案は、発光ダイオード等の発光素子を基板上に配置した長方形の発光モジュールを直線的に延伸されたＬＥＤ照明装置として設置する場合のＬＥＤモジュールの支持装置に関し、特に、天井／壁面、配線ダクト又は既存の直管蛍光灯用の安定器ボックス等にＬＥＤモジュールを利用したＬＥＤ照明装置を設置する場合の支持装置に関する。
【背景技術】
【０００２】
直管型蛍光灯を用いる既設の照明装置を固定する支持部を一部流用することで、発光ユニットを照明装置として設置することができるが、その場合には、一般的に、直管型蛍光灯用のソケットが残されていた。そして、発光ユニット側に直管型蛍光灯用の端部と同様なピンを設け、そのピンをソケットに差し込むことで発光ユニットを固定用していた（例えば、特許文献１参照）。
【０００３】
また、発光ユニット側に直管型蛍光灯用の端部のピンを設けない場合には、直管型蛍光灯用の既設ソケットを残す必要は無くなる。その場合には、例えば、筐体側の既設ソケット用支持具を残し、直管型蛍光灯に替わる直管型ＬＥＤ灯の両端部を支持する固定用治具を、既設ソケット用支持具に固定すると共に、既設反射板のソケット用孔を通して突出させる。そして、固定用治具に直管型ＬＥＤ灯を挟んでネジで固定することで、直管型ＬＥＤ灯を筐体側の既設ソケット用支持具に固定用していた（例えば、特許文献２参照）。
【０００４】
一方、複数の発光ダイオードを基板上に配置した発光モジュールを用いた照明装置についても、例えば、複数の発光ダイオードを離散的に配置して光源部の温度上昇を低減させたものが提案されている（例えば、特許文献３参照）。また、棚面の天井に発光モジュールを設け、その発光モジュールの複数の発光ダイオードの各々に曲面形状の反射部を設けたものが提案されている（例えば、特許文献４参照）。
【０００５】
そのような従来の発光ダイオードを用いた発光モジュールの発熱については、発光ダイオードは一般的に効率が良いので、白熱電球と比べて、同じ照度を得る場合なら発熱は少なくできる。しかし、同じ照度を得る場合の蛍光灯と比べると、発光ダイオードは発熱量を削減できるとは一概に言えない。また、発熱について、発光ダイオードは、一般的に熱伝導率の低い樹脂パッケージに密封されて、熱伝導率の低い基板上に実装されるため、発光素子の周辺に熱が溜まりやすいという短所がある。そして、発光ダイオードで温度上昇した場合は、素子の寿命が縮まり、発光効率が低下する。そのため、発光ダイオードの放熱性を改善するための金属製の放熱板や放熱片を基板上や基板の中間に設置したり、基板自体をアルミニウム等の熱伝導率の良い金属導体性の薄板にしたり、銅のスルーホールやバンプやブロックを基板中に形成することが提案されている。
【０００６】
考案者は、上記した例に限られない温度上昇を抑える対策がとられた発光モジュールを、従来の蛍光灯に代えて使用することを提案している。考案者が提案している発光モジュールでは、例えば、周囲温度２７度の状況で定格電圧５０Ｈｚ、１００Ｖを印加して点灯した場合（消費電力３．１４｛Ｗ｝、全光束２３３｛ｌｍ｝）の６０分後と１２０分後の温度が双方とも３７度であった（地方独立行政法人  東京都立産業技術研究センターに測定依頼：報告書番号１９依研光第４０５〜４０７号）。つまり、考案者が提案している発光モジュールは、室温が２７度の場合、通常の使用では３７度以上には上昇せず、電力も大幅に削減することができる。より具体的には、本発光モジュールは、長さ：約２５０ｍｍ×幅：約１８．５ｍｍ×厚さ：１．６ｍｍ（発光ダイオード込みで３．５ｍｍ）という寸法で、消費電力３．１４｛Ｗ｝にもかかわらず、１０｛Ｗ｝の蛍光灯に相当する光量を照射できる。蛍光灯に換算して４０｛Ｗ｝の光量が必要な場合には、本モジュールを４本、直列又は並列等に接続して用いればよく、その場合の消費電力は１２．５６｛Ｗ｝のみであり、省エネルギー化に多大な貢献が可能である。
【先行技術文献】
【特許文献】
【０００７】
【特許文献１】特開２００９−１６４１８号公報
【特許文献２】特開２０１１−４９１４３号公報
【特許文献３】特開２００５−１０８５１９号公報
【特許文献４】特開２００８−４２９６号公報
【考案の開示】
【考案が解決しようとする課題】
【０００８】
しかしながら、従来は、発光ダイオードの照明用の標準化された発光モジュールを、天井又は他の取付部に容易に設置できる支持装置は存在していなかった。そのため、従来は、発光モジュールを収容できるように寸法を合わせてオーダーメードで外寸が形成された高価な専用照明装置を用いるか、高価で工数が多く必要な支持装置を自作するか、汎用の蛍光灯用取付装置を工数をかけて発光ダイオード用に加工し、専用の支持装置により野縁等に固定用しなければならなかった。また、天井板への取り付けのみでなく、天井に懸架されたＭバーやシステム天井のＴバーやレースウェイへの取り付け、既存の蛍光灯型照明装置の一部（本体）を流用しての取り付けも考慮する必用があり、そのような多様な設置場所の構造に対して、支持装置の種類も多様化する必用があり、オーダーメードで各々に対して専用の支持装置コストが高くなり、設計変更も容易ではなく、設置場所の変更も容易にできなかった。
【０００９】
そこで本考案は、上記の課題を解決するために、長方形の発光モジュールを、従来の直管型蛍光灯のように直線的に延伸されたＬＥＤ照明装置として、天井又は他の多様な取付部に適応させて容易に且つ低コストで設置でき、設置場所の変更も容易である支持装置を提供することを目的とする。
【課題を解決するための手段】
【００１０】
（１）上記課題を解決するために、本考案の一実施態様に係るＬＥＤ照明支持装置は、天井若しくは壁面、又は被取付構造体に、板状で所定の縦横寸法を有する略長方形のＬＥＤ発光モジュールを照明装置として設置するためのＬＥＤ照明支持装置であって、支持装置は、断面が略矩形で中空であり、発光モジュールを取付する面に発光モジュールを保持するモジュール保持部を少なくとも有するアルミ押出材のモジュールホルダと、モジュールホルダの両側面を両側から挟み込んで固定する把持部を有すると共に、天井若しくは壁面、又は被取付構造体に直接又は他の固定用金具を介して間接的にそれ自体を固定するための少なくとも一つの第１ネジ穴を有する第１固定用金具と、第１固定用金具を前記天井若しくは壁面、又は被取付構造体又は他の固定用金具に固定するための第１ネジとを少なくとも有することを特徴とする。
【００１１】
本実施態様によれば、長方形の発光モジュールを、従来の直管型蛍光灯のように直線的に延伸されたＬＥＤ照明装置として、天井又は他の多様な取付部に適応させて容易に且つ低コストで設置でき、設置場所の変更も容易に実施できる。また、モジュール保持部を断面が略矩形で中空の例えば「ロ」字型のアルミ押出材とすることで、強度が増して長尺のＬＥＤ照明装置であっても中弛みすることが無く、側面からの放熱が可能になることで別途に放熱板やヒートシンクを設ける必要が無くなる。
【００１２】
（２）好ましくは、本考案の一実施態様に係るＬＥＤ照明支持装置のように、第１固定用金具の把持部は、バネ弾性を有する金属板であり、金属板がモジュールホルダの両側面を両側から各々挟み込むように直角に下側に折り曲げられた平面形状部を有し且つ各平面形状部から内側に突出する突出部が形成され、モジュールホルダの両側面には段差部が設けられ、突出部が段差部に係合することで固定されるようにしてもよい。
【００１３】
本実施態様によれば、モジュールホルダを第１固定用金具に押し込むのみで、第１固定用金具の両側面の把持部における突出部が、モジュールホルダの両側面の段差部に係合されて、ＬＥＤ照明装置を容易に且つ低コストで設置でき、設置場所の変更も容易である。
【００１４】
（３）好ましくは、本考案の一実施態様に係るＬＥＤ照明支持装置のように、第１固定用金具の把持部は、金属板がモジュールホルダの両側面を両側から各々挟み込むように直角に下側に折り曲げられた平面形状部を有し且つ各平面形状部内に第２ネジ穴を有し、第２ネジによりネジ止めされて固定されるようにしてもよい。
【００１５】
本実施態様によれば、モジュールホルダを第１固定用金具で挟んでネジ止めするのみであり、第１固定用金具の両側面の把持部が、モジュールホルダの両側面にネジ止め固定されるので、ＬＥＤ照明装置を容易に且つ低コストな上にさらに確実に設置でき、設置場所の変更もネジ止めの取り外しと締め付けのみで容易である。
【００１６】
（４）好ましくは、本考案の一実施態様に係るＬＥＤ照明支持装置のように、上面と一側面が開口した箱形状であり第１固定用金具と接続される第２固定用金具であって、該第２固定用金具は、底面の第１固定用金具のネジ穴と対向する位置に設けられた第３ネジ穴を有し、第３ネジによりネジ止めされて固定され、開口した一側面と対向する側面に第４ネジ穴を有し、開口した上面における開口した一側面と直交する各辺には少なくとも金属板の突出部を内側に折れ込ませた２個の内折れ爪を有し、被取付構造体に接続される第３固定用金具であって、該第３固定用金具は、第２固定用金具の各辺２個の内折れ爪と各々係合する係合部と、開口した一側面と対向する側面と平行に係合部と接続され且つ第４のネジ穴と対向する位置に第５のネジ穴を有する固定用板を有し、第２固定用金具の第４ネジ穴と、第３固定用金具の第５のネジ穴をネジ止めして固定する第４ネジとを少なくとも有するようにしてもよい。
【００１７】
本実施態様によれば、被取付構造体の接続される面の構造に各々適合させた複数種類の第３固定用金具を準備するのみで、第２固定用金具、第１固定用金具は共通にした共通化及びシステム化した部材により、ＬＥＤ照明装置を、様々な構造の被取付構造体及び、取り付け面に対して平行か垂直か４５度か等の取り付け角度に対応させて容易に且つ低コストで確実に設置できる。
【００１８】
（５）好ましくは、本考案の一実施態様に係るＬＥＤ照明支持装置のように、被取付構造体が、天井又は壁面を支持し、一面の長手方向に開口するスリットを有する金属フレーム又は配管ダクトの少なくとも一部であり、第３固定用金具が、スリットの少なくとも一部を覆う蓋体と一体に接合されて形成されるようにしてもよい。
【００１９】
本実施態様によれば、金属フレーム又は配管ダクトの開口面側にＬＥＤ照明装置を、様々な角度で容易に且つ低コストで確実に設置できる。
【００２０】
（６）好ましくは、本考案の一実施態様に係るＬＥＤ照明支持装置のように、被取付構造体が、直管型蛍光灯を用いた既設の照明装置を接続される面に固定する箱形状支持部の少なくとも一部であり、第３固定用金具が、箱形状支持部の開口の少なくとも一部を覆う蓋体と一体に接合されて形成されるようにしてもよい。
【００２１】
本実施態様によれば、直管型蛍光灯を用いた既設の照明装置の箱形状支持部を利用して、ＬＥＤ照明装置を容易に且つ低コストで確実に設置できる。
【００２２】
（７）好ましくは、本考案の一実施態様に係るＬＥＤ照明支持装置のように、第３固定用金具の第２固定用金具と接続される面が、被取付構造体の蓋体の長手方向の面に対して平行な面となるように形成されるようにしてもよい。
【００２３】
本実施態様によれば、被取付構造体の開口側の蓋体の面に対して平行な面にＬＥＤ照明装置を容易に且つ低コストで確実に設置できる。
【００２４】
（８）好ましくは、本考案の一実施態様に係るＬＥＤ照明支持装置のように、第３固定用金具の第２固定用金具と接続される面が、被取付構造体の蓋体の長手方向の面に対して垂直な面となるように形成されるようにしてもよい。
【００２５】
本実施態様によれば、被取付構造体の開口側の蓋体の面に対して垂直な面にＬＥＤ照明装置を容易に且つ低コストで確実に設置できる。
【００２６】
（９）好ましくは、本考案の一実施態様に係るＬＥＤ照明支持装置のように、第３固定用金具の第２固定用金具と接続される面が、被取付構造体の蓋体の長手方向の面に対して４５度の面となるように形成されるようにしてもよい。
【００２７】
本実施態様によれば、被取付構造体の開口側の蓋体の面に対して４５度の面となるようにＬＥＤ照明装置を容易に且つ低コストで確実に設置できる。
【００２８】
（１０）好ましくは、本考案の一実施態様に係るＬＥＤ照明支持装置のように、第２固定用金具の底面の第３ネジ穴は、モジュールホルダ及び第１固定用金具を１列又は複数列の何れにも固定可能な位置に設けられるようにしてもよい。
【００２９】
本実施態様によれば、モジュールホルダ及び第１固定用金具を１列又は複数列の何れにも固定できるので、要求される照度に応じてモジュールホルダ及び第１固定用金具の列を容易に変更してＬＥＤ照明装置を低コストで確実に設置できる。
【００３０】
（１１）好ましくは、本考案の一実施態様に係るＬＥＤ照明支持装置のように、モジュール保持部は、発光モジュールの長辺の両端部を左右から保持するレール状の第１溝部であるようにしてもよい。
【００３１】
本実施態様によれば、発光モジュールをモジュール保持部の端部から第１溝部に差し込むのみで容易に装着できる。
【００３２】
（１２）好ましくは、本考案の一実施態様に係るＬＥＤ照明支持装置のように、モジュールホルダは、発光モジュールの取付面に、発光モジュールの発光面を覆う透光カバーの両側端を、第１溝部のさらに外側で保持するレール状の第２溝部を有するようにしてもよい。
【００３３】
本実施態様によれば、透光カバーをモジュールホルダの端部から第２溝部に差し込むのみか、透光カバーの弾性を利用して両端部の間隔を狭くするように撓ませてその両端部を第２溝部に嵌め込むことで容易に装着できる。
【００３４】
（１３）好ましくは、本考案の一実施態様に係るＬＥＤ照明支持装置のように、モジュールホルダの内部の両側面には、電気回路基板を保持するためのレール状の第３溝部を有するようにしてもよい。
【００３５】
本実施態様によれば、モジュール保持部の断面が略矩形で中空の「ロ」字型のアルミ押出材の内部の両側面にレール状の第３溝部を設けることで、任意の電気回路基板を、外部の追加筐体を必要とせずにモジュール保持部の内部に内臓させることができる。
【００３６】
（１４）好ましくは、本考案の一実施態様に係るＬＥＤ照明支持装置のように、モジュールホルダの長手方向両端には、発光モジュールの飛出し防止／防埃用のキャップが設けられ、該キャップには配線用の穴が設けられるようにしてもよい。
【００３７】
本実施態様によれば、キャップが設けられることで、モジュール保持部の中空の「ロ」字型の内部への塵埃の浸入を防止し、モジュール保持部の長手方向の両端の開口を隠すことで外観を良くすることができる。また、キャップには、透光カバーの両端部を外側から覆って支持するカバー保持部が設けられるので、地震や物の衝突等で透光カバーが変形しても透光カバーの落下を防ぐことができる。
【考案の効果】
【００３８】
本考案のＬＥＤ照明支持装置によれば、長方形の発光モジュールを、従来の直管型蛍光灯のように直線的に延伸されたＬＥＤ照明装置として、天井又は他の多様な取付部に適応させて容易に且つ低コストで設置でき、設置場所の変更も容易である支持装置を提供することを可能にしている。
【図面の簡単な説明】
【００３９】
【図１】本考案に用いた発光モジュールの概略構成を示す上面図及び側面図である。
【図２】本考案に用いた発光モジュールを支持するモジュールホルダの上面図、側面図、Ａ−Ａ断面図及び下面図である。
【図３】本考案に用いた発光モジュールを支持するモジュールホルダの端部を覆うキャップの上面図、側面図、正面図及び下面図である。
【図４】本考案の第１実施形態のクリップタイプの第１固定用金具が天井若しくは壁面に設置され、支持装置としてモジュールホルダと共に組み合わされて用いられる場合の概略構成を示す上面図、正面図及び断面図である。
【図５】本考案の第２実施形態のネジ止めタイプの第１固定用金具が天井若しくは壁面に設置され、支持装置としてモジュールホルダと共に組み合わされて用いられる場合の概略構成を示す上面図、正面図及び断面図である。
【図６】本考案の第３実施形態のネジ止めタイプの第１固定用金具が金属フレーム又は配管ダクトタイプの被取付構造体の取り付け面に対して平行に設置され、支持装置としてモジュールホルダと第２固定用金具と第３固定用金具と共に組み合わされて用いられる場合の概略構成を示す正面図及び断面図である。
【図７】本考案の第４実施形態のネジ止めタイプの第１固定用金具が金属フレーム又は配管ダクトタイプの被取付構造体の取り付け面に対して垂直に設置され、支持装置としてモジュールホルダと第２固定用金具と第３固定用金具と共に組み合わされて用いられる場合の概略構成を示す正面図及び断面図である。
【図８】本考案の第５実施形態のネジ止めタイプの第１固定用金具が金属フレーム又は配管ダクトタイプの被取付構造体の取り付け面に対して４５°に設置され、支持装置としてモジュールホルダと第２固定用金具と第３固定用金具と共に組み合わされて用いられる場合の概略構成を示す正面図及び断面図である。
【図９】本考案の第６実施形態のネジ止めタイプの第１固定用金具が複数列で金属フレーム又は配管ダクトタイプの被取付構造体の取り付け面に対して平行に設置され、支持装置としてモジュールホルダと第２固定用金具と第３固定用金具と共に組み合わされて用いられる場合の概略構成を示す正面図及び断面図である。
【図１０】本考案の第７実施形態のネジ止めタイプの第１固定用金具が複数列で金属フレーム又は配管ダクトタイプの被取付構造体の取り付け面に対して垂直に設置され、支持装置としてモジュールホルダと第２固定用金具と第３固定用金具と共に組み合わされて用いられる場合の概略構成を示す正面図及び断面図である。
【図１１】本考案の第８実施形態のネジ止めタイプの第１固定用金具が直管型蛍光灯を用いた既設の照明装置を接続される面に固定する箱形状支持部タイプの被取付構造体の取り付け面に対して平行に設置され、支持装置としてモジュールホルダと第２固定用金具と共に組み合わされて用いられる場合の概略構成を示す正面図及び断面図である。
【図１２】本考案の第９実施形態のネジ止めタイプの第１固定用金具が複数列で直管型蛍光灯を用いた既設の照明装置を接続される面に固定する箱形状支持部タイプの被取付構造体の取り付け面に対して平行に設置され、支持装置としてモジュールホルダと第２固定用金具と共に組み合わされて用いられる場合の概略構成を示す正面図及び断面図である。
【考案を実施するための形態】
【００４０】
以下、本考案の実施の形態について図面を用いながら詳細に説明する。
＜発光モジュール＞
図１は、本考案に用いた発光モジュールの概略構成を示す上面図及び側面図である。
発光モジュール１００は、長辺がＬ１で短辺がＬ３の所定の縦横寸法を有する略長方形の板状であり、基板１０１上に複数個の照明用の発光ダイオード１０２が等間隔Ｌ２で直列に且つ２列に配列されている。発光ダイオード１０２の間隔は、発光量の仕様と放熱性能により規定される。配置パターンは図示した形態に限らない。
【００４１】
発光ダイオード１０２を照明に用いる場合の長所としては、まず、白熱電球に対して発光効率が良く消費電力を少なくできることが挙げられる。蛍光灯に対しては、蛍光灯は大電力になるほど効率が上がるので一概には言えないものの、少なくとも数十ワット以下では発光ダイオードの方が効率が良く、消費電力を少なくできる。また、それに伴い、電源設備も小型化でき、電気代も削減できることが挙げられる。
【００４２】
また、発光ダイオードは、一般的に寿命が白熱電球や蛍光灯よりも長く、交換費用を低減できる。通常は長所であるが場合によっては短所にもなることとして、発光ダイオードから照射される光には指向性があることが挙げられる。この性質は、光の照射方向が限られている場合や一方向に照射する場合には長所になるが、光を指向性外の角度を含む多方向に照射させたい場合あるいは視認させたい場合には短所になる場合がある。また、発光ダイオードの短所としては、発光条件の電圧・電流の条件範囲が比較的狭く、その条件以上の電圧・電流では破損しやすく、照明用の高輝度のものは価格が高いことが挙げられる。
【００４３】
基板１０１には、各発光ダイオード１０２に発光用の電圧／電流を供給するための配線が、導体パターンの印刷又は露光後のエッチング等により形成されている。その配線は、非発光面に形成された接続部１０３でリード線１０４の一端に接続され、リード線１０４の他端部には外部電源等と接続するためのコネクタ１０５が取り付けられている。
【００４４】
＜第１実施形態の支持装置＞
図２は、本考案の第１実施形態の支持装置の基本構成となる発光モジュールを支持するモジュールホルダの図である。図２（ａ）は、本考案に用いた発光モジュールを支持するモジュールホルダの上面図であり、図２（ｂ）は側面図、図２（ｃ）は下面図、図２（ｄ）は図２（ｂ）のＡ−Ａ断面図である。
図３は、本考案の第１実施形態に用いた発光モジュールを支持するモジュールホルダの端部を覆うキャップの図である。図３（ａ）は本考案に用いた発光モジュールを支持するモジュールホルダの端部を覆うキャップの上面図であり、図３（ｂ）は側面図、図３（ｃ）は下面図、図３（ｄ）は正面図である。
図４は、本考案の第１実施形態のクリップタイプの第１固定用金具の図である。図４（ａ）は第１固定用金具の上面図であり、図４（ｂ）は天井若しくは壁面に設置され、支持装置としてモジュールホルダと共に組み合わされて用いられる場合の断面図、図４（ｃ）は正面図である。
【００４５】
モジュールホルダ１はアルミ押出法により断面が略矩形で中空の「ロ」字型で型から押し出されて形成され、その上面１ｃには、発光モジュール１００の配線を通す通線穴１５が設けられ、長辺の端部には側面から突出する段差部３が設けられる。通線穴１５には、不図示の配線保護用のブッシングが設置される。モジュールホルダ１は、発光モジュール１００を取付する面１ａに、発光モジュール１００の長辺の両端部を左右から保持するためのレール状の第１溝部（モジュール保持部）７と、発光モジュール１００の発光面を覆う透光カバー２１の両側端を第１溝部７のさらに外側で保持するレール状の第２溝部５とを有する。また、モジュールホルダ１の内部の両側面には、電気回路基板を保持するためのレール状の第３溝部９とを有する。
【００４６】
取付する面１ａにレール状の第１溝部７を設けたことで、発光モジュール１００を第１溝部（モジュール保持部）７の端部からに差し込むのみで容易に装着できる。取付する面１ａにレール状の第２溝部５を設けたことで、透光カバー２１をモジュールホルダ１の端部から第２溝部５に差し込むのみか、透光カバー２１の弾性を利用して両端部の間隔を狭くするように撓ませてその両端部を第２溝部５に嵌め込むことで容易に装着できる。モジュールホルダ１の内部にレール状の第３溝部９を設けることで、例えば、発光モジュール１００に直流の電源電力を安定的に供給するか、又は発光モジュール１００の発光量及び／又は点灯／滅灯等を制御する電気回路基板を、外部の追加筐体を必要とせずにモジュール保持部７の内部に内臓させることができる。
【００４７】
モジュールホルダ１の長手方向両端には、発光モジュール１００の飛出し防止／防埃用のキャップ３１が設けられ、キャップ３１には配線用の穴３３が設けられる。キャップ３１が設けられることで、モジュール保持部７の内部への塵埃の浸入を防止し、モジュール保持部７の長手方向の両端の開口を隠すことで外観を良くすることができる。配線用の穴３３は、例えばモジュールホルダ１の上面１ｃの配線を通す通線穴１５が使用できない場合に、キャップ３１の穴３３に配線を通すことができる。また、キャップ３１には、透光カバー２１の両端部を外側から覆って支持するカバー保持部３５が設けられる。これにより、地震や物の衝突等で透光カバー２１が変形しても透光カバー２１の落下を防ぐことができる。
【００４８】
モジュールホルダ１の両側面１ｂには、後述するネジ止めタイプの第１固定用金具６１をネジ５３により固定するためのネジ穴１３が設けられる。モジュールホルダ１の下面１ａには、発光モジュール１００のリード線１０４を通線するための通線穴１１が設けられる。発光モジュール１００のリード線１０４は、接続ケーブル等により延長されて通線穴１５を通してか、あるいはキャップ３１には配線用の穴３３を通して、外部の電源回路等に接続される。
【００４９】
第１固定用金具４１は、モジュールホルダ１の両側面を両側から挟み込んで固定する把持部４７を有すると共に、天井若しくは壁面９００に直接にそれ自体を固定するための第１ネジ穴４３を有する。第１固定用金具４１の把持部４７は、バネ弾性を有する金属板で形成され、金属板がモジュールホルダ１の両側面１ｂ、１ｄを両側から各々挟み込むように直角に下側に折り曲げられた平面形状部（＝把持部４７）を有し且つ各平面形状部から内側に突出する突出部４５が形成される。モジュールホルダ１の上面１ｃの両側面には突出する段差部３が設けられている。
【００５０】
発光モジュール１００を、従来の直管型蛍光灯のように直線的に延伸されたＬＥＤ照明装置として、天井若しくは壁面９００に直接に設置する場合には、まず、第１固定用金具４１を、ネジ５１を第１ネジ穴４３に通すようにして天井若しくは壁面９００に固定する。次に、第１固定用金具４１の突出部４５が、モジュールホルダ１の上面１ｃの段差部３を上にして、第１固定用金具４１の突出部４５の下側から段差部３を押し上げて、段差部３の下側に突出部４５が入り込んで係合するようにする。第１固定用金具４１は、バネ弾性を有する金属板であるので、突出部４５が段差部３を内側に向けて押圧しながら、突出部４５が下から上に押圧し、凹部４９が段差部３を上から下に押圧することで、段差部３が第１固定用金具４１に固定される。これにより第１固定用金具４１はネジ５１で天井若しくは壁面９００に固定されているので、モジュールホルダ１が、第１固定用金具４１を介して天井若しくは壁面９００に固定される。
【００５１】
第１実施形態の支持装置によれば、モジュールホルダ１の段差部３を第１固定用金具４１に下側から上側に向けて押し込むのみで、第１固定用金具４１の両側面の把持部４７における突出部４５が、モジュールホルダ１の両側面の段差部３に係合される。これにより発光モジュール１００を利用したＬＥＤ照明装置を容易に設置できる。また、モジュールホルダ１の他は第１固定用金具４１とネジ５１のみで設置できるので、低コストで設置でき、また、外す場合もモジュールホルダ１を第１固定用金具４１から引き下ろすのみである。さらに、別の場所に設置する場合は、その場所に第１固定用金具４１を、ネジ５１を第１ネジ穴４３に通すようにして固定し、第１固定用金具４１伸した側からモジュールホルダ１の段差部３を押し上げるのみであるので、設置場所の変更も容易である。
【００５２】
＜第２実施形態の支持装置＞
図５は、本考案の第２実施形態のネジ止めタイプの第１固定用金具の図である。図５（ａ）は第１固定用金具の上面図であり、図５（ｂ）は天井若しくは壁面に設置され、支持装置としてモジュールホルダと共に組み合わされて用いられる場合の断面図、図５（ｃ）は正面図である。図５（ｄ）は図４の第１固定用金具４１を配線のワイヤクランパとして利用する場合の断面図である。
【００５３】
図５の第２実施形態の支持装置が第１実施形態と異なる点は、第１固定用金具６１は、第２ネジ５３を側面から螺合させることによりモジュールホルダ１を固定する点である。従って、モジュールホルダ１は第１固定用金具６１により確実に固定される。第１固定用金具６１の把持部６７は、金属板がモジュールホルダ１の両側面を両側から各々挟み込むように直角に下側に折り曲げられた平面形状部（＝把持部６７）を有する。各平面形状部６７内には第２ネジ穴６５を有し、第２ネジ５３によりネジ止めされて固定される。
【００５４】
また、第１固定用金具６１は、２本のネジ５１により天井若しくは壁面９００に固定されているので、より確実に固定できる。また、第１固定用金具４１を用いる場合は、モジュールホルダ１の上部にクリップオンし、ワイヤクランパ手段４２でワイヤ１１０を固定することで、発光モジュール１００のリード線１０４及び延長された接続ケーブル等は、下側から見てモジュールホルダ１の横にはみ出て露出されることがなく、外観を良くして配線することができる。
【００５５】
本実施態様によれば、モジュールホルダ１を第１固定用金具６１で挟んでネジ止めするのみであり、第１固定用金具６１の両側面の把持部６７が、モジュールホルダ１の両側面にネジ止め固定されるので、ＬＥＤ照明装置を容易に且つ低コストで確実に設置でき、設置場所の変更もネジ止めの取り外しと締め付けのみで容易である。
【００５６】
＜第３実施形態の支持装置＞
図６の第３実施形態では、第２実施形態のネジ止めタイプの第１固定用金具６１が金属フレーム又は配管ダクトタイプの被取付構造体２０１の取り付け面に対して平行に設置され、支持装置としてモジュールホルダ１と第２固定用金具７１と第３固定用金具８１と共に組み合わされて用いられる場合の概略構成を示す正面図及び断面図である。
【００５７】
図６の第３実施形態の支持装置が第２実施形態と異なる点は、天井若しくは壁面９００に取り付けるのではなく、金属フレーム又は配管ダクトタイプの被取付構造体２０１に取り付けられる点、第１固定用金具６１を直接に被取付構造体２０１に取り付けるのではなく、第２固定用金具７１と第３固定用金具８１を介して、モジュールホルダ１が第１固定用金具６１と第２固定用金具７１と第３固定用金具８１によりシステム的に被取付構造体２０１に固定される点である。
【００５８】
被取付構造体２０１は、天井又は壁面を支持する断面矩形の金属フレーム構造材又は配線を保持する断面矩形の配管ダクトの少なくとも一部であり、その断面矩形の一辺を成す一面には長手方向に開いたスリット状の開口を有する。
【００５９】
モジュールホルダ１が第１固定用金具６１に固定される方法は、第２実施形態の支持装置と同様である。第２固定用金具７１は、上面と一側面が開口した箱形状であり第１固定用金具６１と接続するために、底面の第１固定用金具６１のネジ穴６３と対向する位置に設けられた第３ネジ穴を有し、第２固定用金具７１は、第３ネジ５３によりネジ穴６３と第３ネジ穴を通してネジ止めされてナット５５により固定される。また、第２固定用金具７１は、開口した一側面と対向する側面７２に第４ネジ穴を有する。また、第２固定用金具７１は、開口した上面における開口した一側面と直交する各辺に、少なくとも金属板の突出部を内側に折れ込ませた２個の内折れ爪７７を有する。
【００６０】
第３固定用金具８１は、上面側がネジ５７及びナット５９により被取付構造体２０１に接続される。第３固定用金具８１は、その上面側に第２固定用金具７１の各辺２個の内折れ爪７７と各々係合する係合部８４を有し、金属フレーム又は配管ダクトタイプの被取付構造体２０１のスリット状の開口の少なくとも一部を覆う蓋体と接合されて一体化されて形成される。また、第３固定用金具８１は、第２固定用金具７１の側面７２と平行になるように係合部８４と接続された固定用板８３を有し、固定用板８３には側面７２の第４のネジ穴と対向する位置に第５のネジ穴を有する。
【００６１】
モジュールホルダ１を金属フレーム又は配管ダクトタイプの被取付構造体２０１に固定する場合、モジュールホルダ１にネジ５３とナット５５により第１固定用金具６１と第２固定用金具７１を固定し、一方で金属フレーム又は配管ダクトタイプの被取付構造体２０１のスリット状開口側に第３固定用金具８１をネジ５７とナット５９により固定する。次に、第２固定用金具７１の各辺２個の内折れ爪７７と、第３固定用金具８１の係合部８４を各々係合させる。この状態で側面７２の第４のネジ穴と固定用板８３の対向する位置の第５のネジ穴が一直線に連通するので、手回しネジ７５によりを側面７２の第４のネジ穴と固定用板８３の第５のネジ穴を螺合する。これにより、モジュールホルダ１が被取付構造体２０１に固定される。
【００６２】
この場合、第２実施形態の支持装置である第１固定用金具６１に対して、第２固定用金具７１と被取付構造体２０１のスリット状開口に合わせて、その開口面と平行に第３固定用金具８１及びネジ類を準備するのみで、モジュールホルダ１を被取付構造体２０１に容易に且つ低コストで確実に固定することができる。
【００６３】
＜第４実施形態の支持装置＞
図７の第４実施形態では、第３実施形態の第１固定用金具６１が金属フレーム又は配管ダクトタイプの被取付構造体２０１の取り付け面に対して垂直に設置される向きに第３固定用金具８５が形成されている。その他の構成は第３実施形態の支持装置と同様である。
【００６４】
本実施形態の支持装置によれば、被取付構造体２０１の接続される面の構造に各々適合させて取り付け面と垂直になるように第３固定用金具８５を準備するのみで、第２固定用金具７１、第１固定用金具６１は共通にした共通化及びシステム化した部材により、ＬＥＤ照明装置を、様々な構造の被取付構造体２０１及び、取り付け面に対して平行か垂直かの取り付け角度に対応させて容易に且つ低コストで確実に設置できる。
【００６５】
＜第５実施形態の支持装置＞
図８の第５実施形態では、第４実施形態の第１固定用金具６１が金属フレーム又は配管ダクトタイプの被取付構造体２０１の取り付け面に対して４５°に設置される向きに第３固定用金具８７が形成されている。その他の構成は第４実施形態の支持装置と同様である。
【００６６】
本実施形態の支持装置によれば、被取付構造体２０１の接続される面の構造に各々適合させて取り付け面と４５°になるように第３固定用金具８７を準備するのみで、第２固定用金具７１、第１固定用金具６１は共通にした共通化及びシステム化した部材により、ＬＥＤ照明装置を、様々な構造の被取付構造体２０１及び、取り付け面に対して平行か垂直か４５°の取り付け角度に対応させて容易に且つ低コストで確実に設置できる。また、本実施形態では、取り付け面４５°の取り付け角度に対応させたが、需要に応じて３０°、６０°等の任意の角度に対応させることができる。
【００６７】
＜第６実施形態の支持装置＞
図９の第６実施形態では、図６の第３実施形態では一列の取り付けだったモジュールホルダ１と第１固定用金具６１を、二列にも取り付けできるように、第２固定用金具７３と第３固定用金具８９の幅を広げ、ネジ類を増加させている。その他の構成は第３実施形態の支持装置と同様である。
【００６８】
本実施形態の支持装置によれば、第２固定用金具７３の底面は、モジュールホルダ１と第１固定用金具６１を、二列にも取り付けできるように拡幅され、その底面の第３ネジ穴は、モジュールホルダ１及び第１固定用金具６１を１列又は２列の何れにも固定可能な位置に設けられている。
【００６９】
本実施態様によれば、被取付構造体２０１の取り付け面に対して平行で、モジュールホルダ１及び第１固定用金具６１を１列又は２列の何れにも固定できるので、要求される照度に応じてモジュールホルダ１及び第１固定用金具６１の列を容易に変更できるＬＥＤ照明装置を低コストで確実に設置できる。
【００７０】
＜第７実施形態の支持装置＞
図１０の第７実施形態では、図７の第４実施形態では一列の取り付けだったモジュールホルダ１と第１固定用金具６１を、二列にも取り付けできるように、第２固定用金具７３と第３固定用金具９１の幅を広げ、ネジ類を増加させている。その他の構成は第４実施形態の支持装置と同様である。
【００７１】
本実施形態の支持装置によれば、第２固定用金具７３の底面は、モジュールホルダ１と第１固定用金具６１を、二列にも取り付けできるように拡幅され、その底面の第３ネジ穴は、モジュールホルダ１及び第１固定用金具６１を１列又は２列の何れにも固定可能な位置に設けられている。
【００７２】
本実施態様によれば、被取付構造体２０１の取り付け面に対して垂直で、モジュールホルダ１及び第１固定用金具６１を１列又は２列の何れにも固定できるので、要求される照度に応じてモジュールホルダ１及び第１固定用金具６１の列を容易に変更できるＬＥＤ照明装置を低コストで確実に設置できる。
【００７３】
＜第８実施形態の支持装置＞
図１１の第８実施形態では、ネジ止めタイプの第１固定用金具６１が直管型蛍光灯を用いた既設の照明装置を接続される面に固定する箱形状支持部タイプの被取付構造体３０１の取り付け面に対して平行に設置され、支持装置としてモジュールホルダ１と第２固定用金具９３と共に組み合わされて用いられる場合の概略構成を示す正面図及び断面図である。
【００７４】
被取付構造体３０１は、既設の直管型蛍光灯を用いた照明装置を天井若しくは壁面９００等に接続される面に固定するために、例えば安定器等が収容されていた箱形状の支持部である。被取付構造体３０１は、蓋体３０３により閉じられる。第２固定用金具９３は蓋体３０３のさらに外側を覆い、被取付構造体３０１にネジ止めできるようにネジ穴が形成される。
【００７５】
本実施態様によれば、既設の直管型蛍光灯を用いた照明装置の箱形状の支持部を流用できるので、被取付構造体３０１の蓋体３０３の形状に合わせて、その取り付け面と平行に第２固定用金具９３及びネジ類を準備するのみで、モジュールホルダ１を被取付構造体２０１に容易に且つ低コストで確実に固定することができる。
【００７６】
＜第９実施形態の支持装置＞
図１２の第９実施形態では、図１１の第８実施形態では一列の取り付けだったモジュールホルダ１と第１固定用金具６１を、二列に取り付けできるように、第２固定用金具９３のネジ類を増加させている。その他の構成は第８実施形態の支持装置と同様である。
【００７７】
本実施形態の支持装置によれば、第２固定用金具９３の底面は、モジュールホルダ１と第１固定用金具６１を、二列にも取り付けできるように第３ネジ穴が、モジュールホルダ１及び第１固定用金具６１を１列又は２列の何れにも固定可能な位置に設けられている。
【００７８】
本実施態様によれば、被取付構造体３０１の取り付け面に対して、モジュールホルダ１及び第１固定用金具６１を１列又は２列の何れにも固定できるので、要求される照度に応じてモジュールホルダ１及び第１固定用金具６１の列を容易に変更できるＬＥＤ照明装置を低コストで確実に設置できる。
【００７９】
以上、本考案に係る発光モジュール１００の支持装置を複数の実施形態を用いて説明したが、本考案の技術的範囲は上記実施の形態に記載された支持装置の範囲には限定されない。システム的に標準化された固定用金具を組み合わせて、多様な取り付け表面、被取付構造体に対して、さらに平行、垂直、４５°等の様々な角度に、ネジ類を用いて設置できるものであれば上記した他の構成の装置にも本考案の支持装置を適用することができる。
【符号の説明】
【００８０】
１  モジュールホルダ、
１ａ  下面（取付する面）、
１ｂ、１ｄ  両側面、
１ｃ  上面、
３  段差部、
５  第２溝部、
７  第１溝部（モジュール保持部）、
９  第３溝部、
１１  通線穴、
１３  ネジ穴、
１５  通線穴、
２１  透光カバー、
３１  キャップ、
３３  配線用の穴、
３５  カバー保持部、
４１  第１固定用金具、
４２  ワイヤクランパ手段、
４５  突出部、
４７  平面形状部（＝把持部）、
５３  ネジ、
５５  ナット、
６１  第１固定用金具、
６３  ネジ穴、
７１  第２固定用金具、
７２  側面、
７５  手回しネジ、
７７  内折れ爪、
８１  第３固定用金具、
８３  固定用板、
８４  係合部、
８７  第３固定用金具、
８９  第３固定用金具、
９１  第３固定用金具、
９３  第２固定用金具、
１００  発光モジュール、
１００ａ  長辺の辺縁端部、
１０１  基板、
１０２  発光ダイオード、
１０３  接続部、
１０４  リード線、
１０５  コネクタ、
１１０  ワイヤ、
２０１  被取付構造体、
３０１  被取付構造体、
３０３  蓋体、
９００  天井若しくは壁面。
【図１】
0003183224.tif 000003
【図２】
0003183224.tif 000004
【図３】
0003183224.tif 000005
【図４】
0003183224.tif 000006
【図５】
0003183224.tif 000007
【図６】
0003183224.tif 000008
【図７】
0003183224.tif 000009
【図８】
0003183224.tif 000010
【図９】
0003183224.tif 000011
【図１０】
0003183224.tif 000012
【図１１】
0003183224.tif 000013
【図１２】
0003183224.tif 000014